(57)【要約】【課題】利便性及び迅速性を向上させた電界通信装置、サービス提供システム及びサービス提供方法を提供することを課題とする。【解決手段】携帯用電界通信装置１００とサービス提供用電界通信装置２００との間で送受信（転送）されるデータの大きさに応じて通信経路を電界通信部又は無線ＬＡＮ通信部若しくはブルートゥース通信部に切り替える。【選択図】図３
2010187069.tif 000002
【特許請求の範囲】
【請求項１】
所定の送信データを蓄積しておく蓄積手段と、
前記送信データを前記蓄積手段から読み出して送信制御を行う制御手段と、
送信するように制御された前記送信データの通信経路を、当該送信データの大きさが所定の閾値よりも小さい場合に電界送信手段に切り替え、当該所定の閾値よりも大きい場合に電気送信手段に切り替える切替手段と、
前記送信データに対応する電界を電極から電界伝達媒体に誘起して電界により送信する前記電界送信手段と、
前記電界の通信速度よりも高速に前記送信データを電気的に送信させる前記電気送信手段と、
を有することを特徴とする電界通信装置。
【請求項２】
前記電気送信手段は異なる通信速度で前記送信データを送信する複数の電気送信手段であって、
前記切替手段は、
現在切り替えられている前記通信経路の通信速度から前記送信データを送信するのに必要な送信時間を計算し、当該送信時間が一定の基準時間以上の場合に、当該通信経路を次に高速な通信経路に切り替えることを特徴とする請求項１に記載の電界通信装置。
【請求項３】
前記電界伝達媒体を介して伝達されてくる送信データを電界により受信する電界受信手段と、
当該電界の通信速度よりも高速に当該送信データを電気的に受信する電気受信手段と、
を更に有することを特徴とする請求項１又は２に記載の電界通信装置。
【請求項４】
前記切替手段は、
ユーザからの要求に基づく通信経路に切り替えることを特徴とする請求項１乃至３のいずれか１項に記載の電界通信装置。
【請求項５】
電界を電界伝達媒体に誘起して電界通信を行うことが可能な携帯用電界通信装置及びサービス提供用電界通信装置を備えたサービス提供システムにおいて、
前記携帯用電界通信装置は、
所定の要求データを蓄積しておく要求データ蓄積手段と、
前記要求データを前記要求データ蓄積手段から読み出して送信制御を行う制御手段と、
前記要求データに対応する電界を電極から前記電界伝達媒体に誘起して電界により送信する電界送信手段と、を有し、
前記サービス提供用電界通信装置は、
所定のサービスを提供可能なサービスデータを蓄積しておくサービスデータ蓄積手段と、
前記サービスの提供を促すことを示したタッチ電極と、
前記電界伝達媒体が前記タッチ電極に接触した場合に、当該電界伝達媒体を介して伝達されてくる前記要求データを受信し、前記サービスデータを前記サービスデータ蓄積手段から読み出して送信制御を行う制御手段と、
送信するように制御された前記サービスデータの通信経路を、当該サービスデータの大きさが所定の閾値よりも小さい場合に電界送信手段に切り替え、当該所定の閾値よりも大きい場合に電気送信手段に切り替える切替手段と、
前記サービスデータに対応する電界を電極から前記電界伝達媒体に誘起して電界により送信する当該電界送信手段と、
当該電界の通信速度よりも高速に前記サービスデータを電気的に送信させる前記電気送信手段と、
を有することを特徴とするサービス提供システム。
【請求項６】
前記電気送信手段は異なる通信速度で前記送信データを送信する複数の電気送信手段であって、
前記切替手段は、
現在切り替えられている前記通信経路の通信速度から前記サービスデータを送信するのに必要な送信時間を計算し、当該送信時間が一定の基準時間以上の場合に、当該通信経路を次に高速な通信経路に切り替えることを特徴とする請求項５に記載のサービス提供システム。
【請求項７】
前記携帯用電界通信装置は、
前記電界伝達媒体を介して伝達されてくる前記サービスデータを電界により受信する電界受信手段と、
当該電界の通信速度よりも高速に前記サービスデータを電気的に受信する電気受信手段と、
を更に有することを特徴とする請求項５又は６に記載のサービス提供システム。
【請求項８】
前記サービスデータは、前記サービスの提供に必要な手続データと当該サービス自身であるコンテンツデータとであって、
前記切替手段は、
前記コンテンツデータの場合に、前記通信経路を前記電気送信手段に切り替えることを特徴とする請求項５乃至７のいずれか１項に記載のサービス提供システム。
【請求項９】
電界を電界伝達媒体に誘起して電界通信を行うことが可能な携帯用電界通信装置及びサービス提供用電界通信装置を備えたサービス提供システムで処理するサービス提供方法において、
前記サービス提供用電界通信装置は、所定のサービスの提供を促すことを示したタッチ電極と、当該サービスを提供可能なサービスデータに対応する電界を電極から前記電界伝達媒体に誘起して電界により送信する電界送信手段と、当該電界の通信速度よりも高速に前記サービスデータを電気的に送信させる電気送信手段と、を備え、
前記携帯用電界通信装置により、
所定の要求データを要求データ蓄積手段に蓄積しておくステップと、
前記要求データを前記要求データ蓄積手段から読み出して送信制御を行うステップと、
前記要求データに対応する電界を電極から前記電界伝達媒体に誘起して電界により送信するステップと、を有し、
当該サービス提供電界通信手段により、
前記サービスデータをサービスデータ蓄積手段に蓄積しておくステップと、
前記電界伝達媒体が前記タッチ電極に接触した場合に、当該電界伝達媒体を介して伝達されてくる前記要求データを受信し、前記サービスデータを前記サービスデータ蓄積手段から読み出して送信制御を行うステップと、
送信するように制御された前記サービスデータの通信経路を、当該サービスデータの大きさが所定の閾値よりも小さい場合に前記電界送信手段に切り替え、当該所定の閾値よりも大きい場合に前記電気送信手段に切り替えるステップと、
を有することを特徴とするサービス提供方法。
【発明の詳細な説明】
【技術分野】
【０００１】
本発明は、通信経路を切り替え可能な電界通信装置、サービス提供システム及びサービス提供方法の技術に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている。この電界通信を利用した通信技術は、ユーザが所持している電界通信装置をわざわざ外部に取り出すことなく通信電極に接触するだけで他の電界通信装置との通信が開始されるため、非常に利便性が高いものである（特許文献１参照）。
【先行技術文献】
【特許文献】
【０００３】
【特許文献１】特開２００７−１８９３０９号公報
【非特許文献】
【０００４】
【非特許文献１】“ＩＴ用語辞典  ｅ−Ｗｏｒｄｓ  通信速度”、［online］、［平成20年11月10日検索］、インターネット＜URL : http://e-words.jp/p/r-speed.html＞
【発明の概要】
【発明が解決しようとする課題】
【０００５】
しかしながら、電界通信は静電結合を利用する技術であるため、サービス提供が開始されてから終了するまで通信経路を遮断しないように通信電極に接触し続けることをユーザに強制し、その点において利便性が低いという問題があった。また、電界通信速度は一般に低速であるため、音楽データ等の大容量データを転送する際には多大な時間を要し、その点において迅速性が低いという問題もあった。
【０００６】
本発明は、上記に鑑みてなされたものであり、利便性及び迅速性を向上させた電界通信装置、サービス提供システム及びサービス提供方法を提供することを課題とする。
【課題を解決するための手段】
【０００７】
請求項１に記載の本発明は、所定の送信データを蓄積しておく蓄積手段と、前記送信データを前記蓄積手段から読み出して送信制御を行う制御手段と、送信するように制御された前記送信データの通信経路を、当該送信データの大きさが所定の閾値よりも小さい場合に電界送信手段に切り替え、当該所定の閾値よりも大きい場合に電気送信手段に切り替える切替手段と、前記送信データに対応する電界を電極から電界伝達媒体に誘起して電界により送信する前記電界送信手段と、前記電界の通信速度よりも高速に前記送信データを電気的に送信させる前記電気送信手段と、を有することを要旨とする。
【０００８】
請求項２に記載の本発明は、前記電気送信手段は異なる通信速度で前記送信データを送信する複数の電気送信手段であって、前記切替手段は、現在切り替えられている前記通信経路の通信速度から前記送信データを送信するのに必要な送信時間を計算し、当該送信時間が一定の基準時間以上の場合に、当該通信経路を次に高速な通信経路に切り替えることを要旨とする。
【０００９】
請求項３に記載の本発明は、前記電界伝達媒体を介して伝達されてくる送信データを電界により受信する電界受信手段と、当該電界の通信速度よりも高速に当該送信データを電気的に受信する電気受信手段と、を更に有することを要旨とする。
【００１０】
請求項４に記載の本発明は、前記切替手段が、ユーザからの要求に基づく通信経路に切り替えることを要旨とする。
【００１１】
請求項５に記載の本発明は、電界を電界伝達媒体に誘起して電界通信を行うことが可能な携帯用電界通信装置及びサービス提供用電界通信装置を備えたサービス提供システムにおいて、前記携帯用電界通信装置は、所定の要求データを蓄積しておく要求データ蓄積手段と、前記要求データを前記要求データ蓄積手段から読み出して送信制御を行う制御手段と、前記要求データに対応する電界を電極から前記電界伝達媒体に誘起して電界により送信する電界送信手段と、を有し、前記サービス提供用電界通信装置は、所定のサービスを提供可能なサービスデータを蓄積しておくサービスデータ蓄積手段と、前記サービスの提供を促すことを示したタッチ電極と、前記電界伝達媒体が前記タッチ電極に接触した場合に、当該電界伝達媒体を介して伝達されてくる前記要求データを受信し、前記サービスデータを前記サービスデータ蓄積手段から読み出して送信制御を行う制御手段と、送信するように制御された前記サービスデータの通信経路を、当該サービスデータの大きさが所定の閾値よりも小さい場合に電界送信手段に切り替え、当該所定の閾値よりも大きい場合に電気送信手段に切り替える切替手段と、前記サービスデータに対応する電界を電極から前記電界伝達媒体に誘起して電界により送信する当該電界送信手段と、当該電界の通信速度よりも高速に前記サービスデータを電気的に送信させる前記電気送信手段と、を有することを要旨とする。
【００１２】
請求項６に記載の本発明は、前記電気送信手段は異なる通信速度で前記送信データを送信する複数の電気送信手段であって、前記切替手段は、現在切り替えられている前記通信経路の通信速度から前記サービスデータを送信するのに必要な送信時間を計算し、当該送信時間が一定の基準時間以上の場合に、当該通信経路を次に高速な通信経路に切り替えることを要旨とする。
【００１３】
請求項７に記載の本発明は、前記携帯用電界通信装置が、前記電界伝達媒体を介して伝達されてくる前記サービスデータを電界により受信する電界受信手段と、当該電界の通信速度よりも高速に前記サービスデータを電気的に受信する電気受信手段と、を更に有することを要旨とする。
【００１４】
請求項８に記載の本発明は、前記サービスデータが、前記サービスの提供に必要な手続データと当該サービス自身であるコンテンツデータとであって、前記切替手段は、前記コンテンツデータの場合に、前記通信経路を前記電気送信手段に切り替えることを要旨とする。
【００１５】
請求項９に記載の本発明は、電界を電界伝達媒体に誘起して電界通信を行うことが可能な携帯用電界通信装置及びサービス提供用電界通信装置を備えたサービス提供システムで処理するサービス提供方法において、前記サービス提供用電界通信装置は、所定のサービスの提供を促すことを示したタッチ電極と、当該サービスを提供可能なサービスデータに対応する電界を電極から前記電界伝達媒体に誘起して電界により送信する電界送信手段と、当該電界の通信速度よりも高速に前記サービスデータを電気的に送信させる電気送信手段と、を備え、前記携帯用電界通信装置により、所定の要求データを要求データ蓄積手段に蓄積しておくステップと、前記要求データを前記要求データ蓄積手段から読み出して送信制御を行うステップと、前記要求データに対応する電界を電極から前記電界伝達媒体に誘起して電界により送信するステップと、を有し、当該サービス提供電界通信手段により、前記サービスデータをサービスデータ蓄積手段に蓄積しておくステップと、前記電界伝達媒体が前記タッチ電極に接触した場合に、当該電界伝達媒体を介して伝達されてくる前記要求データを受信し、前記サービスデータを前記サービスデータ蓄積手段から読み出して送信制御を行うステップと、送信するように制御された前記サービスデータの通信経路を、当該サービスデータの大きさが所定の閾値よりも小さい場合に前記電界送信手段に切り替え、当該所定の閾値よりも大きい場合に前記電気送信手段に切り替えるステップと、を有することを要旨とする。
【発明の効果】
【００１６】
本発明によれば、利便性及び迅速性を向上させた電界通信装置、サービス提供システム及びサービス提供方法を提供することができる。
【図面の簡単な説明】
【００１７】
【図１】本実施の形態に係るサービス提供システムの全体構成を示す図である。
【図２】携帯用電界通信装置の機能ブロックを示す図である。
【図３】サービス提供用電界通信装置の機能ブロックを示す図である。
【図４】サービス提供システムの処理フローを示すフローチャートである。
【図５】電界通信部の回路構成を示す回路構成図である。
【図６】電界通信部における電界検出部の機能構成を示す機能構成図である。
【図７】電界通信部における他の回路構成を示す回路構成図である。
【発明を実施するための形態】
【００１８】
以下、本発明の実施の形態について図面を用いて説明する。
【００１９】
図１は、本実施の形態に係るサービス提供システムの全体構成を示す図である。このサービス提供システム１は、電界を電界伝達媒体に誘起して電界通信を行うことが可能であって電界伝達媒体３００として機能するユーザに所持された携帯用電界通信装置１００と、同様に電界通信を行うことが可能であって所定のサービスを提供するサービス提供用電界通信装置２００とを具備するものである。
【００２０】
図２は、携帯用電界通信装置の機能ブロックを示す図である。この携帯用電界通信装置１００は、入力部１０１と、制御部１０２と、要求データ蓄積部１０３と、表示部１０４と、切替部１０５と、電界通信部１０６と、通信電極１０７と、グランド電極１０８と、無線ＬＡＮ通信部１０９と、無線ＬＡＮ用アンテナ１１０と、ブルートゥース通信部１１１と、ブルートゥース用アンテナ１１２と、認証データ蓄積部１１３とを備えている。
【００２１】
入力部１０１は、ユーザによって入力された入力データや表示部１０４に表示されている様々な選択データ等の入力を要求データとして受け付ける機能を備えている。
【００２２】
制御部１０２は、入力部１０１によって受け付けた要求データを要求データ蓄積部１０３に蓄積し、要求データ蓄積部１０３に蓄積されている要求データを読み出して送信するように送信制御する機能を備えている。また、制御部１０２は、認証データ蓄積部１１３に蓄積されている認証データを読み出して送信するように送信制御する機能も備えている。さらに、制御部１０２は、サービス提供用電界通信装置２００から伝達されてきた応答データ等を受信する機能も備えている。
【００２３】
要求データ蓄積部１０３は、入力部１０１によって受け付けた要求データを蓄積する機能や、予め準備されている要求データを蓄積しておく機能を備えている。また、認証データ蓄積部１１３は、携帯用電界通信装置１００を所持しているユーザに関する固有の認証データを蓄積しておく機能を備えている。
【００２４】
表示部１０４は、ユーザに対して選択入力を促す選択データや、サービス提供用電界通信装置２００との間で行われているサービス提供に関する進捗・結果等のステータスや、転送されたサービス自身を表示する機能を備えている。
【００２５】
切替部１０５は、制御部１０２によって送信するように送信制御された要求データや認証データ（以降、「要求データ等」と称する）の通信経路を、この要求データ等の大きさが所定の閾値よりも小さい場合に通信速度が低い電界通信部１０６に切り替え、この所定の閾値よりも大きい場合に通信速度が電界通信部１０６よりも高い無線ＬＡＮ通信部１０９又はブルートゥース通信部１１１に切り替える機能を備えている。また、切替部１０５は、ユーザによって入力された入力データが通信経路の切替要求である場合に、この切替要求に基づく通信経路に切り替える機能も備えている。
【００２６】
電界通信部１０６は、要求データ等に対応する電界を通信電極１０７から電界伝達媒体３００に誘起して電界により送信する機能を備えている。また、電界通信部１０６は、電界伝達媒体３００を介してサービス提供用電界通信装置２００から送信された応答データ等を通信電極１０７で電界により受信する機能も備えている。なお、電界通信部１０６の回路構成や処理動作については後述にて具体的に説明している。
【００２７】
無線ＬＡＮ通信部１０９やブルートゥース通信部１１１は、電界通信部１０６での電界通信速度よりも高速に要求データ等を無線ＬＡＮ用アンテナ１１０やブルートゥース用アンテナ１１２から送信する機能を備えている。通常、無線ＬＡＮ通信は約５４Ｍｂｐｓであるため、約１０Ｍｂｐｓであるブルートゥース通信よりも高速であることが知られている（非特許文献１参照）。
【００２８】
図３は、サービス提供用電界通信装置の機能ブロックを示す図である。このサービス提供用電界通信装置２００は、制御部２０１と、サービスデータ蓄積部２０２と、切替部２０３と、電界通信部２０４と、タッチ電極２０５と、グランド電極２０６と、無線ＬＡＮ通信部２０７と、無線ＬＡＮ用アンテナ２０８と、ブルートゥース通信部２０９と、ブルートゥース用アンテナ２１０と、認証データ蓄積部２１１とを備えている。
【００２９】
サービスデータ蓄積部２０２は、図１に示すサービスメニューに掲載されたサービスａ〜サービスｆの提供をそれぞれ促す複数のタッチ電極２０５に対応付けて、各サービスをそれぞれ提供可能な複数のサービスデータを蓄積しておく機能を備えている。また、認証データ蓄積部１１３は、サービス提供を要求したユーザがサービス提供用電界通信装置２００を利用可能であるか否かを認証する際に用いる認証データを蓄積しておく機能を備えている。なお、サービスデータ蓄積部２０２に蓄積されているサービスデータには、サービスを提供するまでの手続きに用いる手続データ（約数キロバイトの大きさ。例えば、携帯用電界通信装置１００から送信された要求データ等に対する応答データ）と、サービス自身であるコンテンツデータ（約数メガバイトの大きさ。例えば、映像データや音楽データ）とを含むものとして以下説明する。
【００３０】
制御部２０１は、ユーザが所定のタッチ電極２０５に接触した場合に、電界伝達媒体３００であるユーザを介して携帯用電界通信装置１００から伝達されてきた要求データ等を受信し、接触したタッチ電極２０５に対応するサービスデータをサービスデータ蓄積部２０２から読み出して、読み出したサービスデータ（前述した手続データやコンテンツデータ）を携帯用電界通信装置１００に送信するように送信制御する機能を備えている。
【００３１】
切替部２０３は、制御部２０１によって送信するように送信制御されたサービスデータの通信経路を、このサービスデータの大きさが所定の閾値よりも小さい場合に通信速度が低い電界通信部２０４に切り替え、この所定の閾値よりも大きい場合に通信速度が電界通信部２０４よりも高い無線ＬＡＮ通信部２０７又はブルートゥース通信部２０９に切り替える機能を備えている。また、切替部２０３は、現在切り替えられている通信経路の通信速度からサービスデータを送信するのに必要な送信時間を計算し、計算された送信時間が一定の基準時間以上の場合に、現在の通信経路を次に高速な通信経路に切り替える機能を備えている。具体的には、現在切り替えられている通信経路が例えば電界通信部２０４である場合に、サービスデータのデータ量と電界通信速度とを用いて送信時間を計算し、この送信時間が一定基準時間以上の場合には、次に高速通信か可能なブルートゥース通信部２０９に通信経路を切り替える制御を行う。
【００３２】
電界通信部２０４は、サービスデータに対応する電界をタッチ電極２０５から電界伝達媒体３００に誘起して電界により送信する機能を備えている。また、電界通信部２０４は、電界伝達媒体３００を介して携帯用電界通信装置１００から送信された要求データ等をタッチ電極２０５で電界により受信する機能も備えている。なお、タッチ電極２０５は、電界を電界伝達媒体３００に伝達してデータ送受信する機能と、ユーザに対してサービスの提供を促す機能とを兼ね備えている。この電界通信部２０４の回路構成や処理動作についても後述にて具体的に説明している。
【００３３】
無線ＬＡＮ通信部２０７及びブルートゥース通信部２０９は、携帯用電界通信装置１００の無線ＬＡＮ通信部１０９及びブルートゥース通信部１１１と同じ機能を備えているので、ここでは重複的な説明は省略するものとする。
【００３４】
なお、携帯用電界通信装置１００の要求データ蓄積部１０３や認証データ蓄積部１１３、サービス提供用電界通信装置２００のサービスデータ蓄積部２０２や認証データ蓄積部２１１としては、例えばメモリ、ハードディスク等の記憶装置を用いることが一般的であるが、応用的には、携帯用電界通信装置１００やサービス提供用電界通信装置２００の内部のみならず、インターネットや電話回線等の通信ネットワークを介して電気的に接続可能な外部の記憶装置を用いることも可能である。
【００３５】
次に、本実施の形態に係るサービス提供システムの処理フローについて説明する。図４は、サービス提供システムの処理フローを示すフローチャートである。最初に、携帯用電界通信装置１００の制御部１０２が、要求データを要求データ蓄積部１０３から読み出して、所定の時間間隔で繰り返し出力するよう送信制御を行う（Ｓ１０１）。なお、何らかのデータを出力又は送信するように送信制御を行った場合には、送信先であるサービス提供用電界通信装置２００から返信された応答データ等をいずれかの通信経路で受信する必要があるため、制御部１０２は、電界通信部１０６、無線ＬＡＮ通信部１０９、ブルートゥース通信部１１１の全ての通信経路での受信をチェックしているものとする。
【００３６】
次に、切替部１０５は、送信制御された要求データの大きさを計算し、計算された要求データの大きさが事前に設定されている閾値よりも小さいため、通信速度が低い電界通信部１０６に通信経路を切り替える（Ｓ１０２）。
【００３７】
そして、電界通信部１０６は、要求データに対応する電界を通信電極１０７から電界伝達媒体３００に誘起して電界により出力する（Ｓ１０３）。
【００３８】
その後、電界伝達媒体３００であるユーザがサービスｃを示すタッチ電極２０５に接触した場合に、サービス提供用電界通信装置２００の電界通信部２０４が、電界伝達媒体３００を介して携帯用電界通信装置１００から伝達された要求データをタッチ電極２０５で電界により受信する（Ｓ１０４）。
【００３９】
制御部２０１は、タッチ電極２０５に示されたサービスｃに対応するサービスデータをサービスデータ蓄積部２０２から読み出して、このサービスデータに含まれている手続データとしての応答データを携帯用電界通信装置１００に送信するよう送信制御を行う（Ｓ１０５）。なお、制御部２０１は、サービス提供先である携帯用電界通信装置１００からいずれかの通信経路で要求データ等を受信する必要があるため、電界通信部２０４、無線ＬＡＮ通信部２０７、ブルートゥース通信部２０９の全ての通信経路での受信をチェックしているものとする。
【００４０】
そして、切替部２０３は、送信制御された応答データの大きさを計算し、計算された応答データの大きさが事前に設定されている閾値よりも小さく、かつ、予め電界通信部２０４の通信経路に切り替えられているため、通信経路の切り替えを行うことなく電界通信部２０４に応答データを送信する（Ｓ１０６）。
【００４１】
その後、電界通信部２０４は、応答データに対応する電界をタッチ電極２０５から電界伝達媒体３００に誘起して電界により送信する（Ｓ１０７）。
【００４２】
続いて、携帯用電界通信装置１００の電界通信部１０６が、電界伝達媒体３００を介してサービス提供用電界通信装置２００から送信された応答データを通信電極１０７で電界により受信する（Ｓ１０８）。
【００４３】
制御部１０２は、応答データを受信した後に、認証情報を認証データ蓄積部１１３から読み出して、サービス提供用電界通信装置２００に送信するよう送信制御を行う（Ｓ１０９）。
【００４４】
そして、切替部１０５は、送信制御された認証データの大きさを計算し、計算された認証データの大きさが事前に設定されている閾値よりも小さく、かつ、Ｓ１０２の処理で既に電界通信部１０６の通信経路に切り替えられているため、通信経路の切り替えを行うことなく電界通信部１０６に認証データを送信する（Ｓ１１０）。
【００４５】
その後、電界通信部１０６は、認証データに対応する電界を通信電極１０７から電界伝達媒体３００に誘起して電界により送信する（Ｓ１１１）。
【００４６】
続いて、サービス提供用電界通信装置２００の電界通信部２０４が、電界伝達媒体３００を介して携帯用電界通信装置１００から伝達された認証データをタッチ電極２０５で電界により受信する（Ｓ１１２）。
【００４７】
制御部２０１は、受信した認証データが認証データ蓄積部２１１に蓄積されている認証データに一致するか否かを判定し、一致する場合に、Ｓ１０５で読み出したサービスデータに含まれている第１コンテンツデータを携帯用電界通信装置１００に送信するよう送信制御を行う（Ｓ１１３）。
【００４８】
切替部２０３は、送信制御された第１コンテンツデータの大きさを計算し、計算された第１コンテンツデータの大きさが事前に設定されている閾値よりも大きいため、通信速度が高いブルートゥース通信部２０９に通信経路を切り替える（Ｓ１１４）。
【００４９】
その後、ブルートゥース通信部２０９は、ブルートゥース用アンテナ２１０を介して無線で第１コンテンツデータを送信する（Ｓ１１５）。
【００５０】
そして、携帯用電界通信装置１００のブルートゥース通信部１１１が、ブルートゥース用アンテナ１１２を介してサービス提供用電界通信装置２００から無線で送信されてきた第１コンテンツデータを受信する（Ｓ１１６）。
【００５１】
制御部１０２は、第１コンテンツデータを受信して所定の記憶部に記憶した後に、第１コンテンツデータの受信が終了したことを示す応答データをサービス提供用電界通信装置２００に送信するよう送信制御を行う（Ｓ１１７）。
【００５２】
切替部１０５は、送信制御された応答データの大きさを計算し、計算された応答データの大きさが事前に設定されている閾値よりも小さく、かつ、Ｓ１０２の処理で既に電界通信部１０６の通信経路に切り替えられているため、通信経路の切り替えを行うことなく電界通信部１０６に応答データを送信する（Ｓ１１８）。
【００５３】
そして、電界通信部１０６は、応答データに対応する電界を通信電極１０７から電界伝達媒体３００に誘起して電界により出力する（Ｓ１１９）。
【００５４】
その後、サービス提供用電界通信装置２００の電界通信部２０４が、電界伝達媒体３００を介して携帯用電界通信装置１００から伝達された応答データをタッチ電極２０５で電界により受信する（Ｓ１２０）。
【００５５】
制御部２０１は、Ｓ１１３で送信するよう送信制御した第１コンテンツデータに対する応答データを受信した後に、Ｓ１０５で読み出したサービスデータに含まれている第２コンテンツデータを携帯用電界通信装置１００に送信するよう送信制御を行う（Ｓ１２１）。
【００５６】
切替部２０３は、Ｓ１１４の処理と同様に第２コンテンツデータの大きさに基づいて通信経路を切り替える。なお、前述したように切替部２０３はサービスデータの送信時間に基づいても通信経路の切替が可能であるので、ここでは、現在切り替えられている通信経路であるブルートゥース通信部Ｓ２０９の通信速度から第２コンテンツデータを送信するのに必要な送信時間を計算し、計算された送信時間が事前に設定されている基準時間以上であるため、次に高速通信可能な通信経路である無線ＬＡＮ通信部２０７に切り替えるものとする（Ｓ１２２）。
【００５７】
その後、無線ＬＡＮ通信部２０７は、無線ＬＡＮ用アンテナ２０８を介して無線で第２コンテンツデータを送信する（Ｓ１２３）。
【００５８】
そして、携帯用電界通信装置１００の無線ＬＡＮ通信部１０９が、無線ＬＡＮ用アンテナ１１０を介してサービス提供用電界通信装置２００から無線で送信されてきた第２コンテンツデータを受信する（Ｓ１２４）。
【００５９】
制御部１０２は、第２コンテンツデータを受信して所定の記憶部に記憶した後に、第２コンテンツデータの受信が終了したことを示す応答データをサービス提供用電界通信装置２００に送信するよう送信制御を行う（Ｓ１２５）。
【００６０】
切替部１０５は、送信制御された応答データの大きさを計算し、計算された応答データの大きさが事前に設定されている閾値よりも小さく、かつ、Ｓ１０２の処理で既に電界通信部１０６の通信経路に切り替えられているため、通信経路の切り替えを行うことなく電界通信部１０６に応答データを送信する（Ｓ１２６）。
【００６１】
そして、電界通信部１０６は、応答データに対応する電界を通信電極１０７から電界伝達媒体３００に誘起して電界により出力する（Ｓ１２７）。
【００６２】
その後、サービス提供用電界通信装置２００の電界通信部２０４が、電界伝達媒体３００を介して携帯用電界通信装置１００から伝達された応答データをタッチ電極２０５で電界により受信する（Ｓ１２８）。
【００６３】
制御部２０１は、Ｓ１２１で送信するよう送信制御した第２コンテンツデータに対する応答データを受信した後に、サービスｃの提供に対する領収書データを生成し、携帯用電界通信装置１００に送信するよう送信制御を行う（Ｓ１２９）。
【００６４】
そして、切替部２０３は、送信制御された領収書データの大きさを計算し、計算された領収書データの大きさが事前に設定されている閾値よりも小さいため、Ｓ１２２の処理で切り替えられた無線ＬＡＮ通信部２０７から通信速度が低い電界通信部２０４に通信経路を切り替える（Ｓ１３０）。
【００６５】
その後、電界通信部２０４は、領収書データに対応する電界をタッチ電極２０５から電界伝達媒体３００に誘起して電界により送信する（Ｓ１３１）。
【００６６】
携帯用電界通信装置１００の電界通信部１０６が、電界伝達媒体３００を介して携帯用電界通信装置１００から送信された領収書データを通信電極１０７で電界により受信する（Ｓ１３２）。
【００６７】
制御部１０２は、受信した領収書データを所定の蓄積部に蓄積する（Ｓ１３３）。
【００６８】
本実施の形態によれば、携帯用電界通信装置とサービス提供用電界通信装置との間で送受信（転送）されるデータの大きさに応じて通信経路を電界通信部又は無線ＬＡＮ通信部若しくはブルートゥース通信部に切り替えるので、利便性及び迅速性を向上させたサービス提供システムを提供することが可能となる。
【００６９】
本実施の形態に係るサービス提供システムでは、電界通信以外の通信経路の一例として無線ＬＡＮとブルートゥースとを用いて説明したが、電界通信部よりも通信速度が高い通信部であればこれらに限定されるものではなく、例えば、ＦＷＡ、携帯電話網、ＩｒＤＡ等を用いることも可能である。また、無線通信に限定されるものではなく、有線ＬＡＮや光通信を用いることも可能である。
【００７０】
本実施の形態に係るサービス提供システムの処理フローでは、電界通信部が選択される場合として、要求データ、応答データ、認証データ、領収書データを一例に用いて説明したが、切替部で事前に設定されている閾値よりも小さいデータであればこれらに限定されるものではなく、例えば、サービスの選択データや電子マネーの支払いデータ等の場合にも電界通信部が選択されることになる。
【００７１】
本実施の形態に係るサービス提供システムの処理フローでは、送信するデータの大きさに基づいて通信経路を電界通信部、無線ＬＡＮ部、ブルートゥース部のいずれかに切り替える場合を例に説明したが、前述したようにユーザによる通信経路の切替要求に基づいて、通信経路を固定的に切り替えることも可能である。
【００７２】
本実施の形態で説明したサービス提供システムは、コンピュータで構成され、各機能ブロックの各処理はプログラムで実行されるようになっている。また、各実施の形態で説明したサービス提供システムの各処理動作をプログラムとして例えばコンパクトディスクやフロッピー（登録商標）ディスク等の記録媒体に記録して、この記録媒体をコンピュータに組み込んだり、若しくは記録媒体に記録されたプログラムを、任意の通信回線を介してコンピュータにダウンロードしたり、又は記録媒体からインストールし、該プログラムでコンピュータを動作させることにより、上述した各処理動作をサービス提供システムとして機能させることができるのは勿論である。
【００７３】
最後に、電界通信部１０６、２０４の処理動作を携帯用電界通信装置１００の電界通信部１０６、通信電極１０７、グランド電極１０８を用いて説明する。図５は、電界通信部の回路構成を示す回路構成図である。この電界通信部１０６は、インタフェース回路８１を介して制御部１０２に接続されている。電界通信部１０６は、この制御部１０２からインタフェース回路８１を介して他の電界通信装置に送信するための送信データ（本実施の形態で説明した要求データや第１コンテンツデータ等）を受け取ると、レベル調整回路８２で送信データの信号振幅を調整してから、送信回路８３を介して送信電極として機能する第２の通信電極１０７ｂに供給するようになっている。
【００７４】
第２の通信電極１０７ｂは、送信回路８３から送信データが供給されると、この送信データに対応する電界を電界伝達媒体３００に誘起する。この誘起された電界は、電界伝達媒体３００としての人体等を伝達して、他の電界通信装置の受信電極で受信される。
【００７５】
一方、電界検出部８４は、受信電極として機能する第１の通信電極１０７ａで受信した電界が供給され、電界光学手法を利用した電界検出部８４内で別途発生するレーザ光を偏光変化させた後、電気信号に変換する。この電気信号は、信号処理回路８５での帯域制限により不要な雑音が除去され、更に波形整形回路８６で波形が整形されてから、インタフェース回路８１を介して制御部１０２に供給されるようになっている。
【００７６】
ここで、図２に示したグランド電極１０８は、図５を用いて説明した電界検出部８４に設けられている。図６は、電界通信部における電界検出部の機能構成を示す機能構成図である。電界検出部８４は、レーザ光と電気光学結晶を用いた電気光学的手法により電界を検出するものであり、レーザ光源を構成するレーザダイオード６１および電気光学結晶からなる電気光学素子６２を有する。なお、電気光学素子６２は、レーザダイオード６１からのレーザ光の進行方向に対して直角方向に結合される電界に感度を有し、この電気強度によって光学特性、すなわち複屈折率が変化し、この複屈折率の変化によりレーザ光の偏光が変化するようになっている。
【００７７】
電気光学素子６２の図上で上下方向に対向する両側面には第１電極６３及び第２電極６４が設けられている。なお、この第１電極６３及び第２電極６４は、レーザダイオード６１からのレーザ光の電気光学素子６２内における進行方向を両側から挟み、レーザ光に対して電界を直角に結合させるようになっている。
【００７８】
図６に示す電界検出部８４は、図５に示したのと同じ第１の通信電極１０７ａを有し、この第１の通信電極１０７ａは第１電極６３に接続されている。また、第１電極６３に対向する第２電極６４は、図２に示したのと同じグランド電極１０８に接続され、第１電極６３に対してグランドとして機能するように構成されている。第１の通信電極１０７ａは、電界伝達媒体に誘起されて伝達されてくる電界を検出すると、この電界を第１電極６３に伝達し、第１電極６３を介して電気光学素子６２に結合するようになっている。
【００７９】
レーザダイオード６１から出力されるレーザ光は、コリメートレンズ６５を介して平行光にされ、平行光となったレーザ光は第１波長板６６で偏光状態が調整されて電気光学素子６２に入射する。電気光学素子６２に入射したレーザ光は、電気光学素子６２内で第１電極６３と第２電極６４との間を伝播するが、このレーザ光の伝播中において上述したように第１の通信電極１０７ａが電界伝達媒体に誘起されて伝達されてくる電界を受け、この電界が第１電極６３を介して電気光学素子６２に結合すると、この電界は第１電極６３からグランド電極１０８に接続されている第２電極６４に向かって形成されて、レーザダイオード６１から電気光学素子６２に入射したレーザ光の進行方向に直角であるため、電気光学素子６２の光学特性である複屈折率が変化し、これによりレーザ光の偏光が変化する。
【００８０】
このように電気光学素子６２において第１電極６３からの電界によって偏光が変化したレーザ光は、第２波長板６７で偏光状態を調整されて偏光ビームスプリッタ６８に入射する。偏光ビームスプリッタ６８は、第２波長板６７から入射されたレーザ光をＰ波およびＳ波に分離して、光の強度変化に変換する。この偏光ビームスプリッタ６８でＰ波成分およびＳ波成分に分離されたレーザ光は、それぞれ第１集光レンズ６９ａ及び第２集光レンズ６９ｂで集光されてから、第１フォトダイオード７０ａ及び第２フォトダイオード７０ｂに供給され、第１フォトダイオード７０ａ及び第２フォトダイオード７０ｂにおいてＰ波光信号とＳ波光信号をそれぞれの電気信号に変換して出力するようになっている。
【００８１】
既に上述したように第１フォトダイオード７０ａ及び第２フォトダイオード７０ｂから出力される電気信号は、図５に示す信号処理回路８５で増幅、雑音除去などの信号処理を施されてから、波形整形回路８６で波形整形され、インタフェース回路８１を介して制御部１０２に供給されることになる。
【００８２】
図７は、電界通信部における他の回路構成を示す回路構成図である。この電界通信部１０６は、制御部１０２から出力される送受信切替信号によって送信と受信とを切り替ることが可能となっている。データを送信する場合には、送信データを発振器４１から出力される搬送波を用いて変調回路４０で変調して出力する。一方、データを受信する場合には、搬送波再生回路４４で受信信号から搬送波を抽出・再生し、復調回路４３で再生された搬送波と受信信号を元にデータを再生（復調）し、復調信号のＨレベルとＬレベルの反転が起きている場合には補正回路４２で補正した後に受信データとして出力する。図５、図６に示す電界通信部は電界を光学的に検出するものであるが、図７に示す電界通信部は電気的に検出する点において異なっている。
【符号の説明】
【００８３】
４０，４０’…変調回路
４１，４１’…発振器
４２，４２’…補正回路
４３，４３’…復調回路
４４，４４’…搬送波再生回路
６１…レーザダイオード
６２…電気光学素子
６３…第１電極
６４…第２電極
６５…コリメートレンズ
６６…第１波長板
６７…第２波長板
６８…偏光ビームスプリッタ
６９ａ…第１集光レンズ
６９ｂ…第２集光レンズ
７０ａ…第１フォトダイオード
７０ｂ…第２フォトダイオード
８１…インタフェース回路
８２…レベル調整回路
８３…送信回路
８４…電界検出部
８５…信号処理回路
８６…波形整形回路
１００…携帯用電界通信装置
１０１…入力部
１０２，１０２’…制御部
１０３…要求データ蓄積部
１０４…表示部
１０５…切替部
１０６，１０６’…電界通信部
１０７，１０７’…通信電極
１０７ａ，１０７ａ’…第１の通信電極（受信電極）
１０７ｂ，１０７ｂ’…第２の通信電極（送信電極）
１０８…グランド電極
１０９…無線ＬＡＮ通信部
１１０…無線ＬＡＮ用アンテナ
１１１…ブルートゥース通信部
１１２…ブルートゥース用アンテナ
１１３…認証データ蓄積部
２００…サービス提供用電界通信装置
２０１…制御部
２０２…サービスデータ蓄積部
２０３…切替部
２０４…電界通信部
２０５…タッチ電極
２０６…グランド電極
２０７…無線ＬＡＮ通信部
２０８…無線ＬＡＮ用アンテナ
２０９…ブルートゥース通信部
２１０…ブルートゥース用アンテナ
３００…電界伝達媒体
Ｓ１０１〜Ｓ１３３…ステップ
【図１】
2010187069.tif 000003
【図２】
2010187069.tif 000004
【図３】
2010187069.tif 000005
【図４】
2010187069.tif 000006
【図５】
2010187069.tif 000007
【図６】
2010187069.tif 000008
【図７】
2010187069.tif 000009